(57)【要約】【課題】加工費および備品の準備を少なくでき、復旧作業にかかる時間を短くできる光ケーブルを提供する。【解決手段】光ファイバ心線もしくは光ファイバテープ心線５の少なくともいずれかと、光ファイバ心線もしくは光ファイバテープ心線５の周囲を覆う外被６と、外被６の少なくとも一端側に取り付けられた保護チューブ４と、外被６または保護チューブ４に固定されている牽引紐９と、を備え、少なくとも一端部３において外被６の一部が取り除かれて光ファイバ心線もしくは光ファイバテープ心線５が露出しており、保護チューブ４は、光ファイバ心線もしくは光ファイバテープ心線５の露出部分を覆うと共に外被６の端部近傍の外周を覆って端部近傍に固定されている。【選択図】図３
2015075639.tif 000002
【特許請求の範囲】
【請求項１】
光ファイバ心線もしくは光ファイバテープ心線の少なくともいずれかと、
前記光ファイバ心線もしくは光ファイバテープ心線の周囲を覆う外被と、
前記外被の少なくとも一端側に取り付けられた保護チューブと、
前記外被または前記保護チューブに固定されている牽引紐と、
を備え、
少なくとも一端部において前記外被の一部が取り除かれて前記光ファイバ心線もしくは光ファイバテープ心線が露出しており、
前記保護チューブは、前記光ファイバ心線もしくは光ファイバテープ心線の露出部分を覆うと共に前記外被の端部近傍の外周を覆って前記端部近傍に固定されている、
光ケーブル。
【請求項２】
前記外被の内側に、前記光ファイバ心線もしくは光ファイバテープ心線を収納する溝が複数設けられたロッドを有し、
前記光ファイバ心線もしくは光ファイバテープ心線の露出部分は、前記ロッドの溝別に区分けされている、請求項１に記載の光ケーブル。
【請求項３】
複数の識別用チューブを有し、
区分けされた前記光ファイバ心線もしくは光ファイバテープ心線は、異なる前記識別用チューブにそれぞれ通されてまとめられている、請求項２に記載の光ケーブル。
【請求項４】
前記識別用チューブは、それぞれ異なる色で着色されている、請求項３に記載の光ケーブル。
【請求項５】
前記外被に固定された牽引ネットを有し、
前記牽引紐は、前記牽引ネットを介して前記外被に固定されている、請求項１から請求項４のいずれか１項に記載の光ケーブル。
【発明の詳細な説明】
【技術分野】
【０００１】
本発明は、光ケーブルに関する。
【背景技術】
【０００２】
光ケーブルは、障害発生等により既設ケーブルが断線した場合に応急的に断線部分を復旧し通信回線を確保する必要がある。例えば特許文献１には、このような復旧作業に使用される光ケーブルとして、地下に埋設された既設ケーブルの復旧を行うため、多心コネクタを両端に成端した光ケーブルが開示されている。
【先行技術文献】
【特許文献】
【０００３】
【特許文献１】特開昭６１−１１７５１２号公報
【発明の概要】
【発明が解決しようとする課題】
【０００４】
上記特許文献１に開示された従来の光ケーブルは、その両端に高密度化された多心コネクタを成端している。そして、上記コネクタに変換コネクタ付きコードを接続して既設ケーブルの復旧を行っている。また、上記光ケーブルは、復旧作業時の地下管路内での高張力牽引を想定し、プーリングアイが端部に強固に取り付けられている。
【０００５】
ところが、光ケーブルを多心コネクタによって成端するには加工費がかかる。このため、比較的少心の光ケーブルの場合は、ケーブル本体の費用に対して加工費が割高になる。また、ケーブル心数や多心コネクタの種類に応じて、それぞれ異なる変換コネクタ付きコードが必要となるため、既設ケーブルの復旧作業のための備品として多種の変換コネクタ付きコードを準備しておく必要がある。また、プーリングアイが強固に取り付けられているので、外す作業に時間がかかり、復旧作業にかかる時間が長くなってしまう。
【０００６】
そこで、本発明の目的は、加工費を節約できると共に備品の準備を少なくでき、復旧作業にかかる時間を短くできる光ケーブルを提供することにある。
【課題を解決するための手段】
【０００７】
上記課題を解決することのできる本発明の光ケーブルは、光ファイバ心線もしくは光ファイバテープ心線の少なくともいずれかと、
前記光ファイバ心線もしくは光ファイバテープ心線の周囲を覆う外被と、
前記外被の少なくとも一端側に取り付けられた保護チューブと、
前記外被または前記保護チューブに固定されている牽引紐と、
を備え、
少なくとも一端部において前記外被の一部が取り除かれて前記光ファイバ心線もしくは光ファイバテープ心線が露出しており、
前記保護チューブは、前記光ファイバ心線もしくは光ファイバテープ心線の露出部分を覆うと共に前記外被の端部近傍の外周を覆って前記端部近傍に固定されている。
【発明の効果】
【０００８】
本発明によれば、加工費を節約できると共に備品の準備を少なくでき、復旧作業にかかる時間を短くできる。
【図面の簡単な説明】
【０００９】
【図１】本発明の実施形態に係る光ケーブルの構成を説明する概略図である。
【図２】図１の光ケーブルのＡ−Ａ断面である。
【図３】図１の光ケーブルの一端部の保護チューブ内部の構成を示す模式的な断面図である。
【発明を実施するための形態】
【００１０】
［本願発明の実施形態の説明］
本願発明の実施形態に係る光ケーブルは、
（１）  光ファイバ心線もしくは光ファイバテープ心線の少なくともいずれかと、
前記光ファイバ心線もしくは光ファイバテープ心線の周囲を覆う外被と、
前記外被の少なくとも一端側に取り付けられた保護チューブと、
前記外被または前記保護チューブに固定されている牽引紐と、
を備え、
少なくとも一端部において前記外被の一部が取り除かれて前記光ファイバ心線もしくは光ファイバテープ心線が露出しており、
前記保護チューブは、前記光ファイバ心線もしくは光ファイバテープ心線の露出部分を覆うと共に前記外被の端部近傍の外周を覆って前記端部近傍に固定されている。
一端部において光ファイバ心線もしくは光ファイバテープ心線が外被から露出しているので、既設ケーブルの断線部分との応急的な接続作業を迅速に行うことができる。また、多種のコネクタ付きケーブルや変換コネクタ付きコードを用意する必要がないので、備品の準備を少なくすることができる。また、外被または保護チューブに固定された牽引紐を牽引することで架空用のケーブルハンガや地下の埋設配管に通すことができるので、プーリングアイのような強固な端末構造を外す作業が無く、復旧作業にかかる時間を短縮できる。
【００１１】
（２）  前記外被の内側に、前記光ファイバ心線もしくは光ファイバテープ心線を収納する溝が複数設けられたロッドを有し、
前記光ファイバ心線もしくは光ファイバテープ心線の露出部分は、前記ロッドの溝別に区分けされている。
光ファイバ心線もしくは光ファイバテープ心線が収納されていたロッドの溝を識別することができるので、接続作業を行うときに、接続する相手側のケーブルの光ファイバ心線もしくは光ファイバテープ心線が収納されていたロッドの溝との対応が容易にできる。
【００１２】
（３）  複数の識別用チューブを有し、
区分けされた前記光ファイバ心線もしくは光ファイバテープ心線は、異なる前記識別用チューブにそれぞれ通されてまとめられている。
接続作業を行うときに、ロッドのどの溝に入っている光ファイバ心線もしくは光ファイバテープ心線かが分かるので、接続する相手側のケーブルのロッドのどの溝の光ファイバ心線もしくは光ファイバテープ心線と接続すればよいかが容易に判別できる。
【００１３】
（４）  前記識別用チューブは、それぞれ異なる色で着色されている。
識別用チューブが着色され色分けされているので、相手側のケーブルのロッドのどの溝に対応するかが一瞥するだけで容易に判別できる。
【００１４】
（５）  前記外被に固定された牽引ネットを有し、
前記牽引紐は、前記牽引ネットを介して前記外被に固定されている。
外被に固定された牽引ネットの端部を引っ張ると牽引ネットの網目が締まり、外被が締め付けられるように固定されるので、光ケーブルを確実に牽引できる。
【００１５】
［本願発明の実施形態の詳細］
本発明の実施形態に係る光ケーブルを、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１６】
図１には、本実施形態の光ケーブル１がドラム２に巻かれている様子が示されている。図１では、光ケーブル１の一端部３が、ドラム２から引き出された状態となっている。図２は、光ケーブル１本体の断面である。また、図３には、光ケーブル１の一端部３の先端側を覆う保護チューブ４の内部を図示している。
【００１７】
図１では、光ケーブル１は、ドラム２に巻かれており、光ケーブル１の一端部３が引き出された状態が示されている。
図１に示すように、光ケーブル１の一端部３において、ケーブルの外被６に牽引ネット８が巻きつけられている。この牽引ネット８は、例えば伸縮性のある素材を筒状の網となるように加工したものなどである。この場合、上記一端部３は、牽引ネット８の筒内に挿入されて、外被６に巻きつけられている。そして、牽引ネット８の端部を引っ張ると網目が締まり、外被６が締め付けられるように固定される。
さらに、牽引紐９が牽引ネット８の一端側、あるいは光ケーブル１の一端部側の外被部分に巻き付けて結びつけるなどして固定されている。牽引紐９としては、例えばビニロン製のロープ等を使用できる。
【００１８】
また、一端部３の先端側は、可撓性のある保護チューブ４にて覆われている。保護チューブ４は、例えば可撓性のあるプラスチック製のＣＤ（Ｃｏｍｂｉｎｅｄ  Ｄｕｃｔ）管であり、材質はポリエチレン、ポリプロピレンなどである。これにより保護チューブ４で覆われた部分も含めてドラム２に巻きつけることが可能となり、運搬等の取扱いが容易になる。また、保護チューブ４の先端には、蓋４ａを取り付けてもよい。
【００１９】
ドラム２は、両側に鍔部２ａ，２ｂを有し、鍔部２ａ，２ｂの間にセパレータ２ｃが設けられている。これにより、ドラム２には、鍔部２ａとセパレータ２ｃとの間に巻付部Ａ、鍔部２ｂとセパレータ２ｃとの間に巻付部Ｂが設けられている。つまり、２つの巻付部Ａ、Ｂを有している。また、セパレータ２ｃには、切れ込み２ｃａが設けられている。光ケーブル１の他端側は、巻付部Ｂにドラム２への巻き始め部分（１層分）だけ巻きつけられており、切れ込み２ｃａを通して、光ケーブル１の他の部分が巻付部Ａに渡され、巻付部Ａに巻き付けられている。
【００２０】
光ケーブル１本体は、例えば１００心テープスロット型ケーブルであり、図２にその断面を示すように、テンションメンバ１７を中心として、ロッド１０に５つの溝１１〜１５が設けられている。そして、溝１１〜１５には、それぞれ、４心の光ファイバテープ心線５が５枚ずつ収納されている。また、ロッド１０の外周には、溝１１〜１５の位置を識別するための位置識別マーク１６が設けられている。そして、ロッド１０には、抑え巻きテープ１８が巻かれており、さらに、その周囲が外被６で覆われている。
【００２１】
そして、光ケーブル１の一端部３の先端側においては、外被６および抑え巻きテープ１８を取り除き、光ファイバテープ心線５を露出させている。
【００２２】
図３に示すように、露出した光ファイバテープ心線５は、収納されていた溝１１〜１５の溝別に区分けされ、異なる識別用スパイラルチューブ７ａ〜７ｅにそれぞれ通されてまとめられている。識別用スパイラルチューブ７ａ〜７ｅは、識別できるように、それぞれ異なる色に着色されていてもよい。これにより、光ファイバテープ心線５が収納されていたロッド１０の溝１１〜１５を識別することができる。
【００２３】
なお、識別用スパイラルチューブ７ａ〜７ｅの識別手段は、着色による色分け以外でもよく、例えばそれぞれの識別用スパイラルチューブ７ａ〜７ｅに標識を付けるなどでもよい。なお、識別用スパイラルチューブは、７ａ〜７ｅの５つに限定されるものではなく、例えば、光ケーブル１の溝の数に対応した数だけ設けるようにする。
【００２４】
また、保護チューブ４は外被６の端部近傍の外周を覆うように、外被６の一端側の固定部６ａで外被６と接着固定されている。
【００２５】
［光ケーブルによる復旧作業］
次に、本実施形態の光ケーブル１によって、被災等で切断された既設ケーブルの復旧作業の一例について、架空の既設ケーブルを復旧する場合について説明する。
まず、牽引紐９の他端側（牽引ネット８に固定されてない側）を通線ワイヤーに結び付ける。通線ワイヤーを架空のケーブルハンガに通すことで、牽引紐９が牽引され、光ケーブル１の通線が容易にできる。牽引紐９の牽引中は、牽引ネット８の網目が締まって、より外被６との固定力が上がるので、牽引ネット８が外被６から外れにくくなる。
また、光ケーブル１の牽引中は、保護チューブ４によって露出した光ファイバテープ心線５が保護される。
【００２６】
そして、架線した光ケーブル１の保護チューブ４の蓋４ａを取り除き、収納されていた溝別に識別用スパイラルチューブでまとめられた光ファイバテープ心線５を引き出し、被災等で断線された既設ケーブルの光ファイバテープ心線と溝毎につき合わせる。次に、融着機等を用いて各光ファイバテープ心線の先端同士を融着して、断線された既設ケーブルと光ケーブル１とを接続し、接続部分はクロージャ内に収容する。
なお、クロージャや、必要に応じてコネクタ部品類など、復旧作業に使用する物品を光ケーブル１と同梱しておくと、復旧作業がより効率的になる。
【００２７】
以上のように、本実施形態の光ケーブル１は、その一端部３において光ファイバテープ心線５が外被６から露出しているので、既設ケーブルの断線部分との応急的な接続作業を迅速に行うことができる。また、多種のコネクタ付きケーブルや変換コネクタ付きコードを用意する必要がないので、備品の準備を少なくすることができる。また、外被６または保護チューブ４に固定された牽引紐９を牽引することで配管を通すことができるので、プーリングアイのような強固な端末構造を外す作業が無く、復旧作業にかかる時間を短縮できる。
【００２８】
また、光ケーブル１は、外被６の内側で、ロッド１０の溝１１〜１５に光ファイバテープ心線５が収納され、光ファイバテープ心線５の露出部分は、ロッド１０の溝１１〜１５別に区分けされている。これにより、光ファイバテープ心線５の端部においても、光ファイバテープ心線５が収納されていたロッド１０の溝１１〜１５を識別することができる。また、接続作業を行うときに、接続する相手側のケーブルの光ファイバテープ心線が収納されていたロッドの溝との対応が容易にできる。
【００２９】
また、複数の識別用スパイラルチューブ７ａ〜７ｅを有し、区分けされた光ファイバテープ心線５は、異なる識別用スパイラルチューブ７ａ〜７ｅにそれぞれ通されてまとめられている。これにより、接続作業を行うときに、どの溝に入っている光ファイバテープ心線５かが分かる。これにより、接続する相手側のケーブルのどの溝の光ファイバテープ心線と接続すればよいかが容易に判別できる。
【００３０】
また、識別用スパイラルチューブ７ａ〜７ｅは、それぞれ異なる色で着色されていてもよく、色分けにより、相手側のケーブルのどの溝に対応するかが一瞥するだけで容易に判別できる。
【００３１】
また、外被６に固定された牽引ネット８を有し、牽引紐９は、牽引ネット８を介して外被６に固定されている。これにより、外被６に固定された牽引ネット８の端部を牽引紐９を介して引っ張ると牽引ネット８の網目が締まり、外被６が締め付けられるように固定されるので、光ケーブル１を確実に牽引できる。
【００３２】
なお、上記実施形態では、識別用チューブとして、スパイラルチューブ（識別用スパイラルチューブ７ａ〜７ｅ）を用いたが、通常の筒状のものでもよい。また、識別用チューブを識別する手段として、色分けしたり識別マークや文字を記載したシールを貼り付けたり、これらが付されたタグを取り付けることとしてもよい。
また、区分けされた光ファイバ心線もしくは光ファイバテープ心線５をまとめる手段としては、（識別用）チューブを用いずに、区分けされた光ファイバ心線もしくは光ファイバテープ心線５ごとに紐等で簡易的に括り識別タグをつけることとしてもよい。
【００３３】
なお、上記実施形態の光ケーブル１は、その一端側のみ光ファイバテープ心線５を露出させて、上述の一端部３の構成にしているが、光ケーブル１の他端側も一端部３と同様の構成にしてもよい。この場合は、例えば図１のドラム２を用いれば、光ケーブル１の他端部側を巻付部Ｂから引き出せるので、他端部側も容易に接続することができる。
【００３４】
既設ケーブルの光ファイバとの接続に際し、予めコネクタ接続が望まれる場合には露出した光ファイバテープ心線５の先端に、予めコネクタを取り付けておいてもよい。この場合は、コネクタ接続により、既設ケーブルと容易に接続することができる。特に多心コネクタを取り付けた場合は、より既設ケーブルとの接続が容易である。
なお、牽引紐９は、保護チューブ４に固定されているものであってもよい。
あるいは、牽引紐９は、保護チューブ４に固定される共に、牽引ネット８を介して保護チューブ４に固定されていてもよい。
【００３５】
また、前述の被災等で切断された既設ケーブルの復旧作業の一例では、架空の光ケーブルを復旧する場合について述べたが、本実施形態の光ケーブル１は、地下のケーブルを復旧する場合に使用することもできる。
【００３６】
なお、上記実施形態で挙げたケーブル１本体の構成は一例であり、１００心テープスロット型ケーブルに限定されるものではなく、外直径0.9mmφの単心光ファイバが複数本収納された層撚ケーブルや、光コードが複数本収納されたコード集合型ケーブルであってもよい。
また、本発明は、ドロップケーブルなどの光ファイバ心線を１本のみ有する光ケーブルに適用することもできる。
【００３７】
［実施例］
次に、本実施形態の光ケーブルの一実施例および使用したドラムについて説明する。
ドラム２は、図１で示す構成のものを使用した。そのサイズは、鍔部２ａ，２ｂの径：６４０ｍｍ、胴径：４５０ｍｍ、巻付部Ａの内幅：２００ｍｍ、巻付部Ｂの内幅：６０ｍｍである。
【００３８】
光ケーブル１本体は、上記実施形態で例示した、４心×５枚×５溝の１００心テープスロット型ケーブルを使用した。
識別用スパイラルチューブ７ａ〜７ｅは、外径３．５ｍｍ、内径２．５ｍｍ、長さ１５０ｍｍのもので、溝１１〜溝１５の光ファイバテープ心線を溝毎に区分けするように、青、黄、緑、赤、紫の５色に色分けされているものを使用した。
牽引紐９は、直径が３〜４ｍｍのビニロン製ロープを使用した。
保護チューブ４は、直径が１９ｍｍのＣＤ管を使用した。
【００３９】
以上の実施例の光ケーブル１を使用して、前述の光ケーブルによる復旧作業（配管への通線と、断線ケーブルへの接続）を行ったところ、特許文献１に記載されたような従来の光ケーブルで復旧作業を行った場合に比べて、約４５分作業時間を短縮できた。
【符号の説明】
【００４０】
１  光ケーブル
２  ドラム
２ａ、２ｂ  鍔部
２ｃ  セパレータ
３  一端部
４  保護チューブ
４ａ  蓋
５  光ファイバテープ心線
６  外被
６ａ  固定部
７ａ〜７ｅ  識別用スパイラルチューブ
８  牽引ネット
９  牽引紐
１０  ロッド
１１〜１５  溝
１６  位置識別マーク
１７  テンションメンバ
１８  抑え巻きテープ
Ａ、Ｂ  巻付部
【図１】
2015075639.tif 000003
【図２】
2015075639.tif 000004
【図３】
2015075639.tif 000005